(57)【要約】【課題】食物とゴミとを別々に収容可能で、かつ、収容されたゴミの露出を著しく減らすことができるゴミ受け付き食品用トレイを提供する。【解決手段】食品用トレイ１は、食物載置用のトレイ本体２と、トレイ本体２を下方から支持するゴミ受け部３とを備える。ゴミ受け部３は、ｎ角形（ｎは整数かつ３≦ｎ≦６）を成す底板４と、底板４の各辺４Ｌに接続しかつ立設した側板５とを備える。側板５は、夫々、底板４との接続部が底辺５Ｌを成す三角形である。側板５の頂部は、水平に折り曲げられてトレイ本体２を支持するトレイ支持部６を構成する。隣接する側板５，５間には底板４から頂部へ向けて徐々に拡大した開口部８が形成される。トレイ本体２をトレイ支持部６に載置すると、ゴミ受け部３には、底板４と側板５とトレイ本体２とで仕切られた内部空間９が形成される。内部空間９は開口部８を介して外部空間とつながっている。【選択図】図１
0003228611.tif 000002
【実用新案登録請求の範囲】
【請求項１】
食物載置用のトレイ本体と、
前記トレイ本体を下方から支持するゴミ受け部と、を備えたゴミ受け付き食品用トレイであって、
前記ゴミ受け部は、ｎ角形（ｎは整数かつ３≦ｎ≦６）を成す底板と、該底板の各辺に接続しかつ立設した側板と、を備え、
前記側板は、夫々、前記底板との接続部が底辺を成す三角形であり、
前記底辺と交わらない前記側板の頂部は、水平に折り曲げられて前記トレイ本体を支持するトレイ支持部を構成し、
隣接する前記側板の間には前記底板から前記頂部へ向けて徐々に拡大した開口部が形成され、
前記トレイ本体を前記ゴミ受け部の前記トレイ支持部に載置すると、前記ゴミ受け部には、前記底板と前記側板と前記トレイ本体とで仕切られた内部空間が形成され、
前記内部空間は、前記開口部を介して外部空間とつながっていること
を特徴とするゴミ受け付き食品用トレイ。
【請求項２】
前記底板の形状である前記ｎ角形が正多角形であり、かつ、前記側板の形状である前記三角形が正三角形であること
を特徴とする請求項１に記載のゴミ受け付き食品用トレイ。
【請求項３】
前記トレイ支持部には、その上方に緩衝部材が設けられていること
を特徴とする請求項１又は２に記載のゴミ受け付き食品用トレイ。
【請求項４】
前記トレイ本体は、中心に向かって深くなった丸皿又は角皿であること
を特徴とする請求項１〜３のいずれかに記載のゴミ受け付き食品用トレイ。
【考案の詳細な説明】
【技術分野】
【０００１】
本考案は、枝豆、葡萄、キャンディなどの食品を載置するためのゴミ受け付きトレイに関する。
【背景技術】
【０００２】
食卓に上がる自然由来の食材のうち、枝豆、葡萄、みかん、海老や蟹、栗などの食材は、中身（実の部分）のみが食べられ、それ以外の皮や外殻は食べられないのでゴミとなる。また、キャンディ、チョコレート、サラミやチーズのような人工的な食材であっても、個々の包装袋はゴミとなる。
【０００３】
これらのゴミは、食事中に徐々に増えていくため、食材を盛り付けた皿に戻し入れるか、別の入れ物を用意することで通常、処理されている。前者の処理のように盛付皿にゴミを戻してしまうと、見た目も悪く、不快であり、食欲の減退を招く。一方、後者の処理のように別の入れ物を使用した場合でも、ゴミの大半が露出することは避けられないばかりか、食卓の面積を余分に奪うことになる。
【０００４】
食事中に生ずるゴミまで収容できる先行技術として、例えば、特許文献１が挙げられる。特許文献１では、上部食器受部と、下部食器受部と、これらの間に載置される支柱とを備えた食器が開示されている。そして、上部食器受部及び下部食器受部の一方を食物収容皿として用い、他方を殻受けなどのゴミ受け皿として用いるものである。この食器一つで、食物とゴミとを分別可能であるが、食器の全方位からゴミが常に露出してしまう。このため、食事が進むほど、料理の見た目や美感が悪くなり、食欲が減退する虞がある。
【先行技術文献】
【特許文献】
【０００５】
【特許文献１】実開平０５−０６０３７０号公報
【考案の概要】
【考案が解決しようとする課題】
【０００６】
このような事情から、本考案は、食物とゴミとを別々に収容可能で、かつ、収容されたゴミの露出を著しく減らすことができるゴミ受け付き食品用トレイを提供することを目的とする。
【課題を解決するための手段】
【０００７】
すなわち、本考案は、例えば、次の構成・特徴を採用するものである。
（態様１）
食物載置用のトレイ本体と、
前記トレイ本体を下方から支持するゴミ受け部と、を備えたゴミ受け付き食品用トレイであって、
前記ゴミ受け部は、ｎ角形（ｎは整数かつ３≦ｎ≦６）を成す底板と、該底板の各辺に接続しかつ立設した側板と、を備え、
前記側板は、夫々、前記底板との接続部が底辺を成す三角形であり、
前記底辺と交わらない前記側板の頂部は、水平に折り曲げられて前記トレイ本体を支持するトレイ支持部を構成し、
隣接する前記側板の間には前記底板から前記頂部へ向けて徐々に拡大した開口部が形成され、
前記トレイ本体を前記ゴミ受け部の前記トレイ支持部に載置すると、前記ゴミ受け部には、前記底板と前記側板と前記トレイ本体とで仕切られた内部空間が形成され、
前記内部空間は、前記開口部を介して外部空間とつながっていること
を特徴とするゴミ受け付き食品用トレイ。
（態様２）
前記底板の形状である前記ｎ角形が正多角形であり、かつ、前記側板の形状である前記三角形が正三角形であること
を特徴とする態様１に記載のゴミ受け付き食品用トレイ。
（態様３）
前記トレイ支持部には、その上方に緩衝部材が設けられていること
を特徴とする態様１又は２に記載のゴミ受け付き食品用トレイ。
（態様４）
前記トレイ本体は、中心に向かって深くなった丸皿又は角皿であること
を特徴とする態様１〜３のいずれかに記載のゴミ受け付き食品用トレイ。
【考案の効果】
【０００８】
本考案の食品用トレイによれば、ゴミ受け部は、開口部以外の部分は仕切られており、特に、その上方は完全にトレイ本体が覆い被さった構成となる。これにより、ゴミ受け部の内部空間に収容されたゴミの露出度は極めて低いものとなり、食事中及び食後に、食物を盛ったトレイ本体及びこの周辺の見た目や美感を損なうこと無く、快適なままで食事を楽しむことができるようになる。
【図面の簡単な説明】
【０００９】
【図１】実施例１に係る食品用トレイを示した斜視図及び分解斜視図である。
【図２】実施例１に係る食品用トレイを示した正面図、側面図及び底面図である。
【図３】実施例１，２に係るゴミ受け部を示した平面図及び正面図である。
【考案を実施するための形態】
【００１０】
以下、本考案のゴミ受け付き食品用トレイ１（以下、単に「トレイ」とも呼ぶ。）を図面に示す実施例に基づき説明するが、本考案は、下記の具体的な実施例に何等限定されるものではない。なお、各図において同一又は対応する要素には同一符号を用いる。
【００１１】
ここで、図１（ａ）及び（ｂ）は、実施例１に係る食品用トレイ１を示した斜視図及び分解斜視図である。図２（ａ）、（ｂ）及び（ｃ）は、実施例１に係る食品用トレイ１を示した正面図、側面図及び底面図である。図３（ａ）及び（ｂ）は、実施例１に係るゴミ受け部３（３Ａ）を示した平面図及び正面図であり、図３（ｃ）及び（ｄ）は、実施例２に係るゴミ受け部３（３Ｂ）を示した平面図及び正面図である。
【実施例１】
【００１２】
（本考案のゴミ受け付き食品用トレイの概要）
本考案のトレイ１は、大別すると、食物載置用のトレイ本体２と、このトレイ本体２を下方から支持するゴミ受け部３（実施例１では３Ａ）と、の２つの部材から構成される。なお、トレイ本体２やゴミ受け部３の材質としては、陶磁器、ガラス、樹脂、金属、木材などが選択可能であるが、成形性及び衝撃耐久性の良さなどから樹脂や金属などの使用が好ましい。製品としての質感や安定性をより高める意味では、ステンレスなどの防錆性を有した金属の使用がさらに好ましい。
【００１３】
（トレイ本体）
トレイ本体２は、ゴミ受け部３の後述する複数のトレイ支持部６の上に着座する。従って、トレイ本体２は、安定的な着座の為に、トレイ支持部６を結んで形成される領域より広い平面積を有する。さらに、トレイ本体２は、その中心Ｏに向かって深くなった丸皿又は角皿であることが好ましい。これにより、図示しない食物をより多量かつ安定的に載置可能となるとともに、トレイ本体２自体もトレイ支持部６（つまり、ゴミ受け部３）により安定的に着座するようになる（つまり、トレイ本体２の座りが良くなる）。
【００１４】
（ゴミ受け部の底板）
ゴミ受け部３は、ｎ角形（ｎは整数かつ３≦ｎ≦６）を成す底板４を備える。すなわち、底板４は、平面視で三角形、四角形、五角形、又は、六角形のいずれか一つの多角形を成すのである。底板４は、好ましくは、正多角形（正ｎ角形）であり、図１（ａ）及び（ｂ）、図２（ｃ）並びに図３（ａ）及び（ｂ）に示す底板４は、平面視で正三角形を成す（実施例１）。
【００１５】
（ゴミ受け部の側板）
また、ゴミ受け部３には、底板４の各辺４Ｌに接続しかつ立設した側板５が夫々設けれる。各々の側板５は、図示のように、底板４との接続部が三辺のうちの一辺（つまり、底辺５Ｌ）を成す三角形状の薄板であることが好ましい。このように構成するのは、後述のゴミ投入口の形成に都合が良いからである。
【００１６】
（ゴミ受け部のトレイ支持部）
底板４の辺４Ｌと交わらない側板５（三角形板）の頂部は、略水平に折り曲げられてトレイ本体２を支持するトレイ支持部６を構成する。トレイ支持部６は、完全に水平に折り曲げられた薄板でもあっても良いが、載置されるトレイ本体２が図示の実施例１，２のように湾曲している場合、これらの湾曲度に適合するように内側から外側に向かってやや立ち上がるように所定の傾斜角θ（図３（ｄ）参照）を有した傾斜板であっても良い。
【００１７】
なお、図示のトレイ支持部６には、製造の一工程にてゴミ受け部３へメッキ加工を施すことを考慮して、開口孔６ａが形成されているが、必須ではない。
【００１８】
（トレイ支持部の緩衝部材）
トレイ支持部６には、その上方に緩衝部材７が設けられていることが好ましい。例えば、図１（ｂ）に示すように、上述の開口孔６ａを覆ってこれを目隠しする緩衝部材７が設けられていてもよい。より具体的には、トレイ支持部６の上側表面６ｂに接着可能な半円球状のゴム製クッション材を使用してもよい。しかしながら、その他の構成の緩衝部材、例えば、トレイ支持部６の上側表面６ｂ全面を覆う薄板状のゴム製クッションシート（図示せず）などを使用してもよい。なお、図２及び図３の各図では、全体の見易さを考慮して、緩衝部材７を省略している。
【００１９】
この緩衝部材７の追設により、トレイ本体２がゴミ受け部３に沈み込むように安定的に着座するため、食品用トレイ１の運搬時や使用時に両部材２，３間に発生し得る、不快で煩わしい接触音（金属製の場合は金属音）を無くす事ができるようになる。加えて、両部材２，３間の摩擦力も増大するため、運搬時や使用時に、トレイ本体２が落下しにくくなるメリットもある。
【００２０】
（ゴミ受け部の開口部）
隣接する側板５の間には、側板５の外形を上述のように構成したため、底板４から側板５の頂部（トレイ支持部６との接続部分）へ向けて徐々に拡大した開口部８が形成される（図１（ａ）及び（ｂ）を参照）。トレイ本体２をゴミ受け部３のトレイ支持部６に載置すると、ゴミ受け部３には、底板４と側板５とトレイ本体２とで仕切られた内部空間９が形成される（図２（ｂ）を参照）。つまり、内部空間９は開口部８を介して外部空間とつながることになるため、開口部８のみが、通常、ゴミ受け部３のゴミ投入口となるのである。もちろん、ゴミが多い場合、トレイ本体２を一旦持ち上げて、ゴミ受け部３の内部空間９に向けてゴミを一気に投入してもよい。
【実施例２】
【００２１】
また、図３（ｃ）及び（ｄ）に、実施例２に係るゴミ受け部３（３Ｂ）を示す。実施例２に係る底板４は、平面視で正四角形を成す。実施例２の場合、実施例１と比較して側板５の数が増えるため、ゴミ投入口たる開口部８の設置数も当然に増える。しかしながら、個々の開口部８の開口面積は減少するため、ゴミ受け部３（３Ｂ）に投入されたゴミがより見えにくくなるメリットがある。
【００２２】
以上の実施例１，２のような食品用トレイ１によれば、ゴミ受け部３は、開口部８以外の部分は仕切られており、特に、その上方はトレイ本体２が完全に覆い被さった構成となる。これにより、ゴミ受け部３の内部空間９に収容されたゴミの露出度は極めて低いものとなる。つまり、上方からはトレイ本体２に盛られた食物がよく目につき、トレイ本体２の真下にある開口部８は見えにくい。
【産業上の利用可能性】
【００２３】
このように、本考案の食品用トレイを使用すれば、食事中及び食後に、食物を盛り付けたトレイ本体及びこの周辺の見た目や美感を損なうこと無く、快適なままで食事を楽しむことができるようになる。また、本考案のトレイは簡素な構成であるため、使用後のゴミ捨てやトレイの片付け（食器洗い）の際も取扱いが極めて容易である。
【００２４】
このように本考案の食品用トレイは、産業上の利用価値及び産業上の利用可能性が非常に高い。
【符号の説明】
【００２５】
１    ゴミ受け付き食品用トレイ
２    トレイ本体
３，３Ａ，３Ｂ    ゴミ受け部
４，４Ｌ    底板，底板の辺
５，５Ｌ    側板，側板の底辺
６，６ａ，６ｂ    トレイ支持部，開口孔，上側表面
７    緩衝部材
８    ゴミ受け部の開口部（ゴミ投入口）
９    ゴミ受け部の内部空間
Ｏ    トレイ本体の中心
θ    トレイ支持部の傾斜角
【図１】
0003228611.tif 000003
【図２】
0003228611.tif 000004
【図３】
0003228611.tif 000005